【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
流動層反応炉において、流動層内にそれぞれ異なる流動化速度を与えるような散気装置を炉床部分に設け、
相対的に小さな流動化速度を与えられた第１の弱流動化域を形成して該第１の弱流動化域では流動媒体の沈降流を生じさせ、相対的に大きな流動化速度を与えられた強流動化域を形成して該強流動化域では流動媒体の上昇流を生じさせて流動層内部に流動媒体の旋回流を形成し、
前記強流動化域の外側に、相対的に小さな流動化速度を与えられた第２の弱流動化域を形成して該第２の弱流動化域では流動媒体の沈降流を生じさせて前記強流動化域から一部の流動媒体が流入するようにし、該第２の弱流動化域に伝熱面を有した熱回収装置を配置し、
前記散気装置は、前記第１の弱流動化域を形成するために相対的に小さな流動化速度を与える散気板からなる第１の散気装置と、
前記強流動化域を形成するために相対的に大きな流動化速度を与える複数の散気管を１段もしくは上下に複数段設けて構成された第２の散気装置からなり、
前記強流動化域と前記第２の弱流動化域の間に仕切り壁を設け、
前記第２の散気装置を構成する１段の前記複数の散気管、もしくは前記第２の散気装置を構成する複数段のうち下段の前記複数の散気管は、前記仕切り壁の下部の開口部の下方まで延びていることを特徴とする流動層熱回収装置。
【請求項２】
前記散気装置は、さらに、前記第２の弱流動化域を形成するために相対的に小さな流動化速度を与える複数の散気管を１段もしくは上下に複数段設けて構成されるか又は下方に傾斜した散気板から構成された第３の散気装置を備えることを特徴とする請求項１記載の流動層熱回収装置。
【請求項３】
前記第１の弱流動化域に被処理物としての固形状物質を投入し、前記固形状物質中に含まれる不燃物を前記散気装置の下方に設けられた流動媒体抜き出しコンベヤにより排出するようにしたことを特徴とする請求項１または２記載の流動層熱回収装置。
【請求項４】
前記第２の弱流動化域から前記強流動化域に流動媒体を戻す流路を、複数の散気管を上下に複数段設けて構成された前記第２の散気装置の段間に形成するようにしたことを特徴とする請求項１記載の流動層熱回収装置。
【請求項５】
前記第２の散気装置を構成する複数段のうち下段の前記複数の散気管、および上段の前記複数の散気管は、異なる空気管にそれぞれ接続されており、
前記下段の散気管から噴出される流動化空気により、前記第２の弱流動化域から前記強流動化域に戻る流動媒体の流動化状態を調整し、
前記上段の散気管から噴出される流動化空気により、前記強流動化域における流動媒体の流動化状態を調整するように構成されていることを特徴とする請求項４記載の流動層熱回収装置。
【請求項６】
前記第２の弱流動化域から前記強流動化域に流動媒体を戻す流路を、複数の散気管を一段設けて構成された前記第２の散気装置の上方に形成するようにしたことを特徴とする請求項１記載の流動層熱回収装置。
【請求項７】
前記第１の散気装置は、前記強流動化域に向かって下方に傾斜している散気板からなることを特徴とする請求項１記載の流動層熱回収装置。
【請求項８】
ｕ０を空塔速度、ｕｍｆを最低流動化空塔速度としたときに、前記第２の散気装置から前記強流動化域に供給する流動化空気の空気量は、４〜２０ｕ０／ｕｍｆであることを特徴とする請求項１乃至７のいずれか一項に記載の流動層熱回収装置。
【手続補正２】
【補正対象書類名】明細書
【補正対象項目名】０００７
【補正方法】変更
【補正の内容】
【０００７】
上述した目的を達成するために、本発明の一態様は、流動層反応炉において、流動層内にそれぞれ異なる流動化速度を与えるような散気装置を炉床部分に設け、相対的に小さな流動化速度を与えられた第１の弱流動化域を形成して該第１の弱流動化域では流動媒体の沈降流を生じさせ、相対的に大きな流動化速度を与えられた強流動化域を形成して該強流動化域では流動媒体の上昇流を生じさせて流動層内部に流動媒体の旋回流を形成し、前記強流動化域の外側に、相対的に小さな流動化速度を与えられた第２の弱流動化域を形成して該第２の弱流動化域では流動媒体の沈降流を生じさせて前記強流動化域から一部の流動媒体が流入するようにし、該第２の弱流動化域に伝熱面を有した熱回収装置を配置し、前記散気装置は、前記第１の弱流動化域を形成するために相対的に小さな流動化速度を与える散気板からなる第１の散気装置と、前記強流動化域を形成するために相対的に大きな流動化速度を与える複数の散気管を１段もしくは上下に複数段設けて構成された第２の散気装置からなり、前記強流動化域と前記第２の弱流動化域の間に仕切り壁を設け、前記第２の散気装置を構成する１段の前記複数の散気管、もしくは前記第２の散気装置を構成する複数段のうち下段の前記複数の散気管は、前記仕切り壁の下部の開口部の下方まで延びていることを特徴とする流動層熱回収装置である。
【手続補正３】
【補正対象書類名】明細書
【補正対象項目名】０００８
【補正方法】変更
【補正の内容】
【０００８】
本発明の好ましい態様は、前記散気装置は、さらに、前記第２の弱流動化域を形成するために相対的に小さな流動化速度を与える複数の散気管を１段もしくは上下に複数段設けて構成されるか又は下方に傾斜した散気板から構成された第３の散気装置を備えることを特徴とする。
【手続補正４】
【補正対象書類名】明細書
【補正対象項目名】０００９
【補正方法】変更
【補正の内容】
【０００９】
本発明の好ましい態様は、前記第１の弱流動化域に被処理物としての固形状物質を投入し、前記固形状物質中に含まれる不燃物を前記散気装置の下方に設けられた流動媒体抜き出しコンベヤにより排出するようにしたことを特徴とする。
【手続補正５】
【補正対象書類名】明細書
【補正対象項目名】００１０
【補正方法】変更
【補正の内容】
【００１０】
本発明の好ましい態様は、前記第２の弱流動化域から前記強流動化域に流動媒体を戻す流路を、複数の散気管を上下に複数段設けて構成された前記第２の散気装置の段間に形成するようにしたことを特徴とする。
本発明の好ましい態様は、前記第２の散気装置を構成する複数段のうち下段の前記複数の散気管、および上段の前記複数の散気管は、異なる空気管にそれぞれ接続されており、前記下段の散気管から噴出される流動化空気により、前記第２の弱流動化域から前記強流動化域に戻る流動媒体の流動化状態を調整し、前記上段の散気管から噴出される流動化空気により、前記強流動化域における流動媒体の流動化状態を調整するように構成されていることを特徴とする。
本発明の好ましい態様は、前記第２の弱流動化域から前記強流動化域に流動媒体を戻す流路を、複数の散気管を一段設けて構成された前記第２の散気装置の上方に形成するようにしたことを特徴とする。
本発明の好ましい態様は、前記第１の散気装置は、前記強流動化域に向かって下方に傾斜している散気板からなることを特徴とする。
本発明の好ましい態様は、ｕ０を空塔速度、ｕｍｆを最低流動化空塔速度としたときに、前記第２の散気装置から前記強流動化域に供給する流動化空気の空気量は、４〜２０ｕ０／ｕｍｆであることを特徴とする。
【手続補正６】
【補正対象書類名】明細書
【補正対象項目名】００２１
【補正方法】変更
【補正の内容】
【００２１】
図１において仕切り壁３を越えて熱回収室５に流入した流動媒体と不燃物は、弱流動化域ＷＦ内を沈降していき、炉底近くで不燃物が分離沈降するが、熱回収室５内も散気管構造であるため、不燃物は堆積することなく流動媒体とともに散気管１１の間をすり抜けて、強流動化域ＳＦからの流動媒体や不燃物とともに流動層反応炉１の下部に設置された流動媒体抜き出しコンベヤ１３によって外部に搬出される。